(57)【要約】【課題】金蓋の形状を問わず、金蓋の開閉作業を安全にかつ作業性を良好とするとともに、縁切りを容易にすることのできる金蓋開閉器を提供する。【解決手段】金蓋開閉器１０は、ベース部材１１と、回転部材１２と、フレーム１３と、上下移動手段１４とを備えている。回転部材１２は、ベース部材１１と接続され、ベース部材１１を移動可能に支持する。フレーム１３は、ベース部材１１と着脱可能で、金蓋の穴部に挿入可能なアタッチメント１５を有する。上下移動手段１４は、ベース部材１１に取り付けられ、フレーム１３を上下方向に移動可能とする。フレーム１３は、金蓋と金蓋が設置された面との接触を絶つ縁切り機構２０を有している。【選択図】図１
2008081940.tif 000002
【特許請求の範囲】
【請求項１】
ベース部材と、
前記ベース部材と接続され、前記ベース部材を移動可能に支持する回転部材と、
前記ベース部材と着脱可能で、金蓋の穴部に挿入可能なアタッチメントを有するフレームと、
前記ベース部材に取り付けられ、前記フレームを上下方向に移動可能とする上下移動手段とを備え、
前記フレームは、前記金蓋と前記金蓋が設置された面との接触を絶つ縁切り機構を有している、金蓋開閉器。
【請求項２】
前記縁切り機構が、ボルトと、前記フレームにおいて前記ボルトを挿入できるボルト用穴であることを特徴とする、請求項１に記載の金蓋開閉器。
【請求項３】
前記ベース部材を前記金蓋が設置された面上に配置したとき、前記ベース部材が、前記金蓋が設置された面に対して３箇所で支持される構造である、請求項１または２に記載の金蓋開閉器。
【請求項４】
前記ベース部材において、支持される部分のそれぞれに前記回転部材が配置されている、請求項３に記載の金蓋開閉器。
【請求項５】
前記上下移動手段は、巻上ハンドルを含む、請求項１〜３のいずれか１項に記載の金蓋開閉器。
【発明の詳細な説明】
【技術分野】
【０００１】
本発明は金蓋開閉器に関し、詳細には、ＣＣＢＯＸ（電線共同溝）用金蓋を安全にかつ作業性を向上するように開閉できる金蓋開閉器に関する。
【背景技術】
【０００２】
新電線類地中化の展開に伴い、地中化区域においてＣＣＢＯＸやソフト地中化等の工法で金蓋が施工されている。地中化工事で使用されている金蓋の形状は、丸蓋ではなく、四角形等の角蓋の形状による金蓋が採用されている。
【０００３】
従来、たとえば、金蓋の開閉には開閉操作棒を用いている。具体的には、開閉作業棒を金蓋の鍵穴に引っ掛けて、金蓋を引き上げて、金蓋を引き上げた状態で、金蓋を手前に引き出す。そして、引き出した金蓋を引き上げながら、落下防止箇所を中心に１８０度回転させる。
【０００４】
また、特開平７−２７９１８９号公報（特許文献１）では、マンホール蓋を引き上げる際に、上下方向および横方向の位置調整ができるマンホール蓋用開閉装置が開示されている。
【特許文献１】特開平７−２７９１８９号公報
【発明の開示】
【発明が解決しようとする課題】
【０００５】
しかしながら、角蓋の形状による金蓋を開閉操作棒を使用して開閉すると、金蓋に足を挟むなどの危険性があるという問題があった。
【０００６】
また、上記特許文献１では、マンホール蓋端面と舗装面のマンホール側壁との間に小石など異物が挟まっているため、マンホール蓋がマンホール側に固定された状態になることがある。この状態から上記異物を部分的に除去してマンホールを移動可能とすることを縁切りという。舗装面とマンホール蓋との接触を絶つ縁切りができていない状態で、上記特許文献１に開示のマンホール蓋開閉装置を使用すると、マンホール蓋を持ち上げるために非常に大きな力が必要であり、マンホール蓋を持ち上げることは非常に困難であるという問題があった。
【０００７】
それゆえ本発明の目的は、金蓋の形状を問わず、金蓋の開閉作業を安全にかつ作業性を良好とするとともに、縁切りを容易にすることのできる金蓋開閉器を提供することである。
【課題を解決するための手段】
【０００８】
この発明にしたがった金蓋開閉器は、ベース部材と、回転部材と、フレームと、上下移動手段とを備えている。回転部材は、ベース部材と接続され、ベース部材を移動可能に支持する。フレームは、ベース部材と着脱可能で、金蓋の穴部に挿入可能なアタッチメントを有する。上下移動手段は、ベース部材に取り付けられ、フレームを上下方向に移動可能とする。フレームは、金蓋と金蓋が設置された面との接触を絶つ縁切り機構を有している。
【０００９】
この発明にしたがった金蓋開閉器によれば、ベース部材から取外された状態のフレームを金蓋上の所定の位置に配置した後、アタッチメントにより金蓋とフレームとを接続できる。その後、当該フレームとベース部材とを接続すれば、結果的に金蓋と金蓋開閉器とを接続できる。そして、上下移動手段によりフレームに接続された金蓋を上下方向に容易に移動できる。また、上述のように上方向に移動させた（持上げた状態にした）金蓋を、回転部材により金蓋が設置された面と平行な方向に容易に移動できる。そのため、金蓋の開閉作業時に足を挟むなどの危険性がない。また、金蓋が設置された面を傷つける恐れもない。さらに、金蓋の開閉作業を一人で容易に行なうことができる。さらには、金蓋の開閉作業の時間を短縮することができる。
【００１０】
また、フレームに有している縁切り機構により、金蓋と金蓋が設置された面との接触を絶つことができる。そのため、大きな力を必要とせずに、容易に縁切りを行なうことができる。なお、ここで「縁切り機構」は、金蓋と当該金蓋が配置されたマンホールの側壁との間に異物（砂や土、小石や塵など）が挟まり、マンホール側壁に対して金蓋の位置が固定された状態から、金蓋とマンホールの側壁との間から上記異物の少なくとも一部を除去あるいは移動可能な状態とすることで、マンホール側壁に対して金蓋が固定された状態を解除することであって、このように金蓋が固定された状態を解除できればどのような機構を用いてもよい。たとえば、金蓋に固定したフレームにおいて、金蓋と重ならない位置にネジ穴を形成し、当該ネジ穴にネジを挿入して当該ネジの先端部と地面（マンホールが形成された面）とが接触することによりフレームを金蓋ごと地面から持上げる。このようにして、金蓋に大きな力を加えて僅かにマンホールから当該金蓋を持上げてもよい。また、金蓋とマンホール側壁との間から異物の一部を除去するための爪部と当該爪部を駆動する駆動部など、任意の機構を採用できる。
【００１１】
さらに、フレームはベース部材と着脱可能であるので、金蓋へフレームを設置する作業を容易に行なうことができる。また、本発明による金蓋開閉器は縁切り機構を備えているので、別の部材を用いて縁切り作業を行なわなくてもよい。このことから、本発明の金蓋開閉器を作業場所へ運ぶことにより、別の縁切り部材などを作業場所へ運ぶことなく、金蓋を開閉できるため、全体としての作業性の向上を図ることができる。よって、金蓋の形状を問わず、金蓋の開閉作業を安全にかつ作業性を良好とするとともに、縁切りを容易にすることができる。
【００１２】
なお、「縁切り」とは、金蓋と金蓋が設置された面との間の接触を絶ち、金蓋を移動可能とすることを意味する。
【００１３】
上記金蓋開閉器において好ましくは、縁切り機構が、ボルトと、フレームにおいてボルトを挿入できるボルト用穴である。フレームを金蓋に設置したときに、フレームにおいて金蓋と重ならない位置にボルト用穴を配置することが好ましい。また、ボルト用穴は、フレームを金蓋に設置したときに、金蓋が配置されたマンホールが形成されている地面に対して交差する方向（たとえば垂直な方向）に延びるように形成されていることが好ましい。ボルトは、フレームに形成されたボルト用穴の長さより長いことが好ましい。
【００１４】
この場合、ボルトをボルト用穴に挿入することにより、ボルトの先端が地面に接触して、地面に対してフレームを押し上げることになる。この結果、フレームに接続された金蓋を地面から持上げることになる。このため、容易に縁切りすることができる。そのため、作業性をさらに向上することができる。
【００１５】
上記金蓋開閉器において好ましくは、ベース部材を金蓋が設置された面上に配置したとき、ベース部材が、金蓋が設置された面に対して３箇所で支持される構造である。
【００１６】
これにより、金蓋が設置された面に対して３箇所でベース部材が支持されることになるので、ベース部材が安定する。そのため、金蓋の開閉作業の安全性がさらに増す。
【００１７】
上記金蓋開閉器において好ましくは、ベース部材において、支持される部分のそれぞれに回転部材が配置されている。これにより、金蓋が設置された面と平行な方向の移動がさらに容易になる。
【００１８】
上記金蓋開閉器において好ましくは、上下移動手段は、巻上ハンドルを含む。これにより、金蓋と接続されたフレームを非常に容易で、かつ小さな力で、上下方向に移動することができる。なお、「巻上ハンドル」は、回転させることでフレームの上下方向での移動を可能とするものであればどのような構成のものであってもよい。
【発明の効果】
【００１９】
このように、本発明によれば、上下移動手段により接続された金蓋を上下方向に容易に移動でき、かつ、回転部材により金蓋が設置された面と平行な方向に容易に移動できる。そのため、金蓋の開閉作業を安全にかつ作業性を良好とすることができる。また、フレームに有している縁切り機構により、容易に縁切りできる。さらに、別の部材を用いて縁切り作業を行なわなくてもよい。よって、金蓋の形状を問わず、金蓋の開閉作業を安全にかつ作業性を良好とするとともに、縁切りを容易にすることができる。
【発明を実施するための最良の形態】
【００２０】
以下、図面に基づいて本発明の実施の形態を説明する。なお、以下の図面において同一または相当する部分には同一の参照符号を付し、その説明は繰り返さない。
【００２１】
図１は、本発明の実施の形態における金蓋開閉器を示す斜視図である。図２は、接続部材近傍の拡大模式図である。図３は、本発明の実施の形態の金蓋開閉器を示す分解斜視図である。図４（Ａ）は、本発明の実施の形態の金蓋開閉器を構成するフレームを示す上面図であり、図４（Ｂ）は、本発明の実施の形態の金蓋開閉器を構成するフレームを示す側面図である。図１〜４を参照して、本発明の実施の形態における金蓋開閉器を説明する。本発明の実施の形態における金蓋開閉器１０は、図１に示すように、たとえば、ベース部材１１と、回転部材１２と、フレーム１３と、上下移動手段１４とを備えている。回転部材１２は、ベース部材１１と接続され、ベース部材１１を移動可能に支持する。フレーム１３は、ベース部材１１と着脱可能で、金蓋の穴部に挿入可能なアタッチメント１５を有する。上下移動手段１４は、ベース部材１１に取り付けられ、フレーム１３を上下方向に移動可能とする。フレーム１３は、金蓋と金蓋が設置された面との接触を絶つ縁切り機構２０を有している。
【００２２】
詳細には、図１および図３を参照して、ベース部材１１は、ベース部材１１を金蓋が設置された面上に配置したとき、ベース部材１１が、金蓋が設置された面に対して３箇所で支持される構造としている。また、ベース部材１１は、フレーム１３が配置される側から見ると略逆Ｕ字状のパイプ１１ａと、パイプ１１ａの中央部に配置された、上下移動手段１４を配置する架台部１１ｂと、架台部１１ｂにおいてフレーム１３が配置される側から見て奥側に位置し、架台部１１ｂの上端から下向きに延びる支柱部１１ｃと、パイプ１１ａと支柱部１１ｃとをつなぐ円弧状の形状の梁部１１ｄとを備える。また、パイプ１１ａの端部および支柱部１１ｃの下端には回転部材１２（車輪など）が配置されている。
【００２３】
また、ベース部材１１において、支持される部分のそれぞれに回転部材１２が配置されている。ベース部材１１が３箇所で支持されていることから、回転部材１２は、３箇所に配置されている。また、回転部材１２は、回転が良好な程度な大きさのものを用いている。実施の形態では、回転部材１２は、タイヤとしている。
【００２４】
なお、実施の形態では、回転部材１２はブレーキ機能を有する。金蓋を接続した状態で、ベース部材１１を所定位置に移動させて作業等する場合には、ブレーキ機構によりブレーキをかけることにより、安全に作業できる。
【００２５】
また、図２を参照して、接続部材１６は、フレーム１３と上下移動手段１４とを接続している。実施の形態では、たとえば、接続部材１６は２つのボルトとしている。フレーム１３の上下方向の移動をよりスムーズに行なうために、接続部材１６の端面の大きさよりも、フレーム１３において上下移動手段１４と接続する接続部材挿入孔１７の大きさを大きくしている。
【００２６】
また、図１、図３、および図４を参照して、フレーム１３は、上下移動手段１４と接続する部分を含み、２本の棒状の部材１３ａ、１３ｂが交差している形状としている。また、フレーム１３の上下移動手段１４と直接的に接続されていない棒状の部材１３ｂの端部近傍において、アタッチメント１５を有している。
【００２７】
なお、フレーム１３において、上下移動手段１４と直接的に接続されている棒状の部材１３ａは、１本であることが好ましい。棒状の部材１３ａが１本であると、金蓋を吊り上げるのは棒状の部材１３ａの１本吊りとなる。１本吊りとすることにより、金蓋を上下方向に移動させた後に金蓋が配置された面と平行な方向に移動が容易になるからである。また、金蓋の開動作のみならず、閉動作も容易に行なうことができるからである。
【００２８】
アタッチメント１５は、金蓋と対向する面側に、金蓋の穴部に挿入可能であり、該穴部に挿入した後に該穴部に引っかけることができる形状としている。
【００２９】
上下移動手段１４は、巻上ハンドル１４ａを含んでいる。具体的には、上下移動手段１４は、巻上ハンドル１４ａとシャフト１４ｂとを有している。シャフト１４ｂの外周には、溝が形成されている。ベース部材１１には、シャフト１４ｂが挿通されるネジ穴が形成されている。巻上ハンドル１４ａを回して、シャフト１４ｂが回転することにより、フレーム１３を上下方向に移動させることができる。
【００３０】
なお、実施の形態では、シャフト１４ｂは、たとえば二条ねじとしている。巻上ハンドル１４ａの回転数の２倍の回転数が二条ねじに発生するため、二条ねじを用いると、金蓋と接続されるフレーム１３をさらに容易に上下方向に移動できる。
【００３１】
なお、上下移動手段１４は、実施の形態では巻上ハンドル１４ａを含むものとしているが、金蓋と接続されるフレームを上下方向に移動可能とするものであれば、特にこれに限定されない。たとえば、上下移動手段１４は、電動式あるいは油圧式により、上下方向に移動可能とするものであってもよい。
【００３２】
図３および図４を参照して、フレーム１３は、金蓋と金蓋が設置された面との接触を絶つ縁切り機構２０を有している。縁切り機構２０は、金蓋にフレーム１３が有するアタッチメント１５を挿入した状態で、ボルトをボルト用穴に挿入することにより、縁切りができる機構としている。縁切り機構２０は、たとえば、ボルトと、フレーム１３においてボルトを挿入できるボルト用穴としている。ボルト用穴は、フレーム１３を金蓋上に配置した状態で、フレーム１３の金蓋と対向する面から反対側の面までを貫通するとともに、金蓋と重ならない位置に形成されている。
【００３３】
なお、金蓋開閉器１０は、どのような形状の金蓋を開閉することもできる。従来、金蓋を開閉するのに問題が多かった角状の金蓋を開閉することを容易としていることから、金蓋の形状が四角形などの角蓋のもの、特にＣＣＢＯＸ用金蓋を開閉するのに適している。
【００３４】
次に、本発明の実施の形態における金蓋開閉器１０の動作について説明する。図５は、アタッチメントを固定する工程を示す概略断面図である。図６は、縁切りを行なう工程を示す概略断面図である。図７は、フレームとベース部材を接続する工程を示す概略斜視図である。図８は、金蓋を上下方向に移動させる工程を示す概略斜視図である。図９は、金蓋を金蓋が設置された面と平行な方向に移動させる工程を示す概略斜視図である。図１０は、金蓋を所定位置に配置させた状態を示す概略斜視図である。
【００３５】
まず、金蓋開閉器１０を用いて金蓋３０を開ける動作について図５〜図１０を用いて説明する。実施の形態で開ける金蓋３０は、ＣＣＢＯＸ用金蓋としている。
【００３６】
まず、金蓋開閉器１０を作業する金蓋３０の近傍に配置する。そして、金蓋開閉器１０において上下移動手段１４とフレーム１３とを接続している接続部材１６を取り外して、フレーム１３とベース部材１１とを切り離す。
【００３７】
次に、図５に示すように、アタッチメント１５を金蓋３０に固定する工程を実施する。具体的には、金蓋３０の穴部にアタッチメント１５を挿入し、アタッチメント１５と金蓋３０とを固定することにより、フレーム１３と金蓋３０とを固定する。
【００３８】
次に、図６に示すように、縁切りを行なう工程を実施する。具体的には、縁切り機構２０を構成するボルトをボルト用穴に挿入する。すると、ボルトがボルト用穴を貫通し、フレーム１３を介して金蓋３０が設置されている面をボルトの端面が押圧する。これにより、フレーム１３がボルトの挿入方向と反対の方向（図６において上方向）に移動する。すると、金蓋３０と接続されているアタッチメント１５および金蓋３０もボルトの挿入方向と反対の方向（図６において上方向）に移動する。そして、金蓋３０と金蓋３０を支える台座３１との間に空間Ｅが生じる。そのため、金蓋３０と金蓋３０が設置された面との接触を絶つことができる。よって、縁切り機構２０により、縁切りを行なうことが容易にできる。
【００３９】
なお、ボルトをボルト用穴に挿入する際に、巻上ハンドル１４ａを用いて行なっている。すなわち、縁切り機構２０および上下移動手段１４が巻上ハンドル１４ａを併用できるように、金蓋開閉器１０は巻上ハンドル１４ａを含んでいる。これにより、金蓋開閉器１０は、作業時に縁切りを行なう工程のために別の部材を必要としない。そのため、金蓋開閉器１０の利便性がより向上する。
【００４０】
次に、図７に示すように、フレーム１３とベース部材１１とを接続する工程を実施する。具体的には、アタッチメント１５を介してフレーム１３と縁切りされた金蓋３０とを接続している状態で、フレーム１３と上下移動手段１４とを接続部材１６を用いて接続する。これにより、ベース部材１１とフレーム１３とを接続することができる。
【００４１】
次に、図８に示すように、金蓋３０を上方向に移動させる工程を実施する。具体的には、上下移動手段１４を構成する巻上ハンドル１４ａを巻き上げることにより、金蓋３０を金蓋３０が設置された面に対して上方向（図８において上方向）に移動させる。なお、金蓋３０を、金蓋３０が設置された面と平行な方向に移動させる次の工程を実施できる程度に上方向に移動したところで、巻き上げを終了する。
【００４２】
次に、図９に示すように、金蓋３０を金蓋３０が設置された面と平行な方向に移動させる工程を実施する。具体的には、回転部材１２により、ベース部材１１を金蓋３０が設置された面と平行な方向（図９において金蓋３０を中心として右方向）へ移動させる。なお、金蓋３０を所定位置まで移動したところで、回転部材１２による移動を終了する。所定位置とは、たとえば、図１０に示すように、作業に支障が無い位置を意味する。実施の形態では、たとえば、金蓋開閉器１０の初期の配置位置を基準として、金蓋３０を中心として略１８０度移動させる。
【００４３】
最後に、図１０に示すように、金蓋３０を所定位置に配置すると、回転部材１２のブレーキ機構を作用させて、金蓋３０が動かないようにする。すると、金蓋３０は安定した開状態となるので、金蓋３０に覆われている下部の作業が可能となる。
【００４４】
なお、上記工程を実施して金蓋３０を開ける場合、金蓋３０の開作業には金蓋開閉器１０のみを用いることとなる。よって、金蓋３０の開閉を含む作業全体に要する部材を少なくすることができる。
【００４５】
次に、金蓋３０を閉じる動作について図５〜図１０を用いて説明する。基本的には、金蓋３０の開動作と反対の動作となる。また、実施の形態で閉じる金蓋３０は、開ける金蓋３０と同様にＣＣＢＯＸ用金蓋としている。
【００４６】
まず、図１０を参照して、金蓋３０を所定位置に配置して、金蓋３０に覆われている下部の作業を終了すると、回転部材１２のブレーキ機構を解除して回転部材１２を移動可能とする。
【００４７】
次に、図９を参照して、金蓋３０を金蓋３０が設置された面と平行な方向に移動させる工程を実施する。具体的には、金蓋３０が設置される面の上方に金蓋３０が配置されるまで、回転部材１２により金蓋３０を移動する。
【００４８】
次に、図８を参照して、金蓋３０を下方向に移動させる工程を実施する。具体的には、金蓋３０が設置される面に金蓋３０が配置され、金蓋３０が開閉作業前の状態になるまで、巻上ハンドル１４ａにより金蓋３０を下方向に移動する。
【００４９】
最後に、アタッチメント１５を金蓋３０から取外す工程を実施する。これにより、金蓋３０を閉じることができる。
【００５０】
なお、上記工程を実施して金蓋３０を閉じると、フレーム１３はベース部材１１と接続された状態である。そのため、金蓋３０の開閉作業には金蓋開閉器１０のみを用いることとなる。よって、金蓋３０の開閉を含む作業全体に要する部材を少なくすることができる。
【００５１】
以上説明したように、本発明の実施の形態における金蓋開閉器１０によれば、ベース部材１１と接続され、ベース部材１１を移動可能に支持する回転部材１２と、ベース部材１１に取り付けられ、フレーム１３を上下方向に移動可能とする上下移動手段１４とを備えている。そのため、上下移動手段１４により接続された金蓋３０を上下方向に容易に移動でき、かつ、回転部材１２により金蓋３０が設置された面と平行な方向に容易に移動できる。よって、金蓋３０の開閉作業時に足を挟むなどの危険性がないとともに、開閉作業性を向上することができる。
【００５２】
また、金蓋開閉器１０は、フレーム１３に金蓋３０と金蓋３０が設置された面との接触を絶つ縁切り機構２０を有している。そのため、大きな力を必要とせずに、容易に縁切りを行なうことができる。
【００５３】
さらに、金蓋開閉器１０は、フレーム１３はベース部材１１と着脱可能であるため、別の部材を用いて縁切りを行なう必要がない。そのため、金蓋開閉器１０を作業場所へ運ぶことにより、金蓋３０を開閉できるので、全体としての作業性の向上を図ることができる。よって、金蓋３０の形状を問わず、金蓋３０の開閉作業を安全にかつ作業性を良好とするとともに、縁切りを容易にすることができる。
【００５４】
今回開示された実施の形態はすべての点で例示であって制限的なものではないと考えられる。本発明の特許請求の範囲は上記した実施の形態ではなくて特許請求の範囲によって示され、特許請求の範囲と均等な意味および範囲内でのすべての変更が含まれることが意図される。
【図面の簡単な説明】
【００５５】
【図１】本発明の実施の形態における金蓋開閉器を示す斜視図である。
【図２】接続部材近傍の拡大模式図である。
【図３】本発明の実施の形態の金蓋開閉器を示す分解斜視図である。
【図４】（Ａ）は、本発明の実施の形態の金蓋開閉器を構成するフレームを示す上面図であり、（Ｂ）は、本発明の実施の形態の金蓋開閉器を構成するフレームを示す側面図である。
【図５】アタッチメントを固定する工程を示す概略断面図である。
【図６】縁切りを行なう工程を示す概略断面図である。
【図７】フレームとベース部材を接続する工程を示す概略斜視図である。
【図８】金蓋を上下方向に移動させる工程を示す概略斜視図である。
【図９】金蓋を金蓋が設置された面と平行な方向に移動させる工程を示す概略斜視図である。
【図１０】金蓋を所定位置に配置させた状態を示す概略斜視図である。
【符号の説明】
【００５６】
１０  金蓋開閉器、１１  ベース部材、１２  回転部材、１３  フレーム、１４  上下移動手段、１４ａ  巻上ハンドル、１４ｂ  シャフト、１５  アタッチメント、１６  接続部材、１７  接続部材挿入孔、２０  縁切り機構、３０  金蓋、３１  台座、Ｅ  空間。
【図１】
2008081940.tif 000003
【図２】
2008081940.tif 000004
【図３】
2008081940.tif 000005
【図４】
2008081940.tif 000006
【図５】
2008081940.tif 000007
【図６】
2008081940.tif 000008
【図７】
2008081940.tif 000009
【図８】
2008081940.tif 000010
【図９】
2008081940.tif 000011
【図１０】
2008081940.tif 000012